(57)【要約】【課題】出力値の劣化を軽減することのできるマルチモード通信装置を提供する。【解決手段】使用周波数帯域ｂを含む、複数の周波数帯域ａ〜ｃの信号のうちのいずれかの周波数帯域の信号が、飽和レベルを超えている場合には、マルチバンドＲＦ部内に備えられた減衰器に対して受信した複数の周波数帯域ａ〜ｃの各信号の利得を下げる（減衰量を高める）処理を行う。【選択図】図３
2009246477.tif 000002
【特許請求の範囲】
【請求項１】
受信した複数の周波数帯域における通信方式それぞれに応じた処理を行うマルチモード通信装置であって、
前記受信した複数の周波数帯域の各信号の周波数変換を行ってダウンコンバートするマルチバンドＲＦ部と、
前記複数の周波数帯域の各信号のうち、所望の使用周波数帯域の信号のみを出力するフィルタリング部と、
前記出力された使用周波数帯域の信号に対して所定の利得で増幅して出力する利得制御部と、
前記利得制御部から出力された信号を前記使用周波数帯域における通信方式に応じた特定の情報処理を行って出力する信号処理部と、
前記複数の周波数帯域の各信号のいずれかが、予め定められた閾値を超える信号強度を示しているかを検出する信号強度検出部と、を備え、
前記信号処理部は、前記受信した複数の周波数帯域の各信号のいずれかが、予め定められた閾値を超える信号強度を示していると前記信号強度検出部で検出された場合には、前記マルチバンドＲＦ部の利得を制御する指示を行う
ことを特徴とするマルチモード通信装置。
【請求項２】
前記信号処理部は、前記受信した複数の周波数帯域の各信号のいずれかが、予め定められた閾値を超える信号強度を示していると前記信号強度検出部で検出された場合には、前記マルチバンドＲＦ部の利得を制御するダウンコンバート処理の回路の前に備えられた減衰器に対して、前記受信した複数の周波数帯域の各信号の利得を下げる指示を行う
ことを特徴とする請求項１に記載のマルチモード通信装置。
【請求項３】
前記受信した複数の周波数帯域の各信号を線形出力する線形出力部と、
前記複数の周波数帯域の各信号を、前記線形出力部または前記フィルタリング部の何れか一方に出力する切替部と、を備え、
前記信号強度検出部は、前記線形出力部から出力された、前記複数の周波数帯域の各信号により、当該複数の周波数帯域の各信号のいずれかが、予め定められた閾値を超える信号強度を示しているかを検出する
ことを特徴とする請求項１に記載のマルチモード通信装置。
【請求項４】
前記受信した複数の周波数帯域の各信号を前記信号強度検出部または前記フィルタリング部の何れか一方に出力する切替部と、を備え、
前記信号処理部は、前記複数の周波数帯域の各信号のいずれかが、予め定められた閾値を超える信号強度を示しているかの前記信号強度検出部の検出結果を前記利得制御部へ通知する
ことを特徴とする請求項１に記載のマルチモード通信装置。
【請求項５】
前記受信した複数の周波数帯域の各信号を前記フィルタリング部へ出力し、さらに、当該信号を１／ｎ（ｎ≧１）の電力値により前記信号強度検出部へ出力する電力分配部と、を備え、
前記信号処理部は、前記複数の周波数帯域の各信号のいずれかが、予め定められた閾値の１／ｎを超える信号強度を示しているかの前記信号強度検出部の検出結果を前記利得制御部へ通知する
ことを特徴とする請求項１に記載のマルチモード通信装置。
【請求項６】
前記線形出力部は、前記受信した複数の周波数帯域の各信号を前記信号強度検出部へ出力する伝送線路である
ことを特徴とする請求項３に記載のマルチモード通信装置。
【請求項７】
前記線形出力部は、前記受信した複数の周波数帯域の各信号の電力を、消費または蓄積または放出する受動素子を有し、前記受信した複数の周波数帯域の各信号を前記受動素子を介して前記信号強度検出部へ出力する
ことを特徴とする請求項３に記載のマルチモード通信装置。
【請求項８】
前記線形出力部は、可変抵抗素子を有し、前記受信した複数の周波数帯域の各信号を前記可変抵抗素子を介して前記信号強度検出部へ出力する
ことを特徴とする請求項３に記載のマルチモード通信装置。
【請求項９】
前記線形出力部は、さらにＤＣオフセットを除去するためのキャパシタを備えることを特徴とする請求項６〜請求項８に記載のマルチモード通信装置。
【請求項１０】
受信した複数の周波数帯域における通信方式それぞれに応じた処理を行うマルチモード通信装置の通信用回路であって、
前記受信した複数の周波数帯域の各信号の周波数変換を行ってダウンコンバートするマルチバンドＲＦ部と、
前記複数の周波数帯域の各信号のうち、所望の使用周波数帯域の信号のみを出力するフィルタリング部と、
前記出力された使用周波数帯域の信号に対して所定の利得で増幅して出力する利得制御部と、
前記利得制御部から出力された信号を前記使用周波数帯域における通信方式に応じた特定の情報処理を行って出力する信号処理部と、
前記複数の周波数帯域の各信号のいずれかが、予め定められた閾値を超える信号強度を示しているかを検出する信号強度検出部と、を備え、
前記信号処理部は、前記受信した複数の周波数帯域の各信号のいずれかが、予め定められた閾値を超える信号強度を示していると前記信号強度検出部で検出された場合には、前記マルチバンドＲＦ部の利得を制御する指示を行う
ことを特徴とする通信用回路。
【発明の詳細な説明】
【技術分野】
【０００１】
本発明は、携帯電話端末等の無線受信機に利用されるマルチモード通信装置及びその通信用回路に関する。
【背景技術】
【０００２】
従来、利用する無線通信サービスに割り当てられた周波数帯域を固定的に受信して復調する受信機が利用されていることが一般的であったが、近年、いわゆる携帯電話端末以外にも、ＷｉＭＡＸ等の高周波の周波数帯域を利用する新たな無線通信方式なども数多く登場してきている。そして、携帯電話端末やこれらの新たな無線通信方式で利用される周波数帯域は、例えば、５００ＭＨｚから３ＧＨｚといった広い帯域となり、この広い帯域の中に、様々な無線通信方式にて利用される周波数帯域が複数存在している状態となっている。
【０００３】
ここで、複数の異なる周波数帯域の無線信号により提供される無線通信サービスの提供を受けるためには、別々の無線通信装置を保有していなければならない為、１台で複数の周波数帯域の無線通信を受信および処理できる無線通信装置の開発が検討されている。複数の周波数帯域の無線信号を受信してフィルタリングし、特定の使用周波数帯域の無線信号のみを出力する技術について非特許文献１に開示されている。
【非特許文献１】Broad band software-defined radio receivers based on superconductive devices、Akira Fujimaki, Koichi Nakazono, Hasegawa Hiroaki, Sato Takashi, Akahori Akira, Takeuchi Nobuo, Furuta Futoshi, Katayama Masaaki, Hayakawa Hisao、Applied Superconductivity, IEEE Transactions on Volume 11, Issue 1, Mar 2001 Page(s):318 - 321
【発明の開示】
【発明が解決しようとする課題】
【０００４】
しかしながら、上述の非特許文献１に開示された技術では、受信した複数の異なる周波数帯域の無線信号から、フィルタリングにより所望の使用周波数帯域の信号以外を除去する場合において、信号強度が飽和レベルよりも高い信号が受信信号の中にあった場合、フィルタリングを行なう前に飽和により生じる非線形性のための信号の歪みが生じてしまうという問題が発生する。図８は、このような現象の概要を示すものである。空中を飛び交う様々な無線信号のうち、周波数帯域ａ〜ｃの信号を受信した場合において、例えば、周波数帯域ａの信号がＲＦフロントエンド部の入力許容範囲を超える強度の信号であった場合、非特許文献１に開示された技術では、飽和により信号がクリッピングされ、歪みが生じる。また、飽和によりＲＦフロントエンド部の利得が抑圧される。このため、そのあとにフィルタリングを行なって大きな信号を除去しても、受信信号の劣化を避けることができない。
【０００５】
そこでこの発明は、複数の異なる周波数帯域の無線信号から、フィルタリングにより特定の使用周波数帯域の信号のみを利用して信号処理を行う装置において、その出力値の劣化を軽減することのできるマルチモード通信装置及びその通信用回路を提供することを目的としている。
【課題を解決するための手段】
【０００６】
上記目的を達成するために、本発明は、受信した複数の周波数帯域における通信方式それぞれに応じた処理を行うマルチモード通信装置であって、前記受信した複数の周波数帯域の各信号の周波数変換を行ってダウンコンバートするマルチバンドＲＦ部と、前記複数の周波数帯域の各信号のうち、所望の使用周波数帯域の信号のみを出力するフィルタリング部と、前記出力された使用周波数帯域の信号に対して所定の利得で増幅して出力する利得制御部と、前記利得制御部から出力された信号を前記使用周波数帯域における通信方式に応じた特定の情報処理を行って出力する信号処理部と、前記複数の周波数帯域の各信号のいずれかが、予め定められた閾値を超える信号強度を示しているかを検出する信号強度検出部と、を備え、前記信号処理部は、前記受信した複数の周波数帯域の各信号のいずれかが、予め定められた閾値を超える信号強度を示していると前記信号強度検出部で検出された場合には、前記マルチバンドＲＦ部の利得を制御する指示を行うことを特徴とするマルチモード通信装置である。
【０００７】
また本発明は、上述のマルチモード通信装置において、前記信号処理部は、前記受信した複数の周波数帯域の各信号のいずれかが、予め定められた閾値を超える信号強度を示していると前記信号強度検出部で検出された場合には、前記マルチバンドＲＦ部の利得を制御するダウンコンバート処理の回路の前に備えられた減衰器に対して、前記受信した複数の周波数帯域の各信号の利得を下げる指示を行うことを特徴とする。
【０００８】
また本発明は、上述のマルチモード通信装置において、前記受信した複数の周波数帯域の各信号を線形出力する線形出力部と、前記複数の周波数帯域の各信号を、前記線形出力部または前記フィルタリング部の何れか一方に出力する切替部と、を備え、前記信号強度検出部は、前記線形出力部から出力された、前記複数の周波数帯域の各信号により、当該複数の周波数帯域の各信号のいずれかが、予め定められた閾値を超える信号強度を示しているかを検出することを特徴とする。
【０００９】
また本発明は、上述のマルチモード通信装置において、前記受信した複数の周波数帯域の各信号を前記信号強度検出部または前記フィルタリング部の何れか一方に出力する切替部と、を備え、前記信号処理部は、前記複数の周波数帯域の各信号のいずれかが、予め定められた閾値を超える信号強度を示しているかの前記信号強度検出部の検出結果を前記利得制御部へ通知することを特徴とする。
【００１０】
また本発明は、上述のマルチモード通信装置において、前記受信した複数の周波数帯域の各信号を前記フィルタリング部へ出力し、さらに、当該信号を１／ｎ（ｎ≧１）の電力値により前記信号強度検出部へ出力する電力分配部と、を備え、前記信号処理部は、前記複数の周波数帯域の各信号のいずれかが、予め定められた閾値の１／ｎを超える信号強度を示しているかの前記信号強度検出部の検出結果を前記利得制御部へ通知することを特徴とする。
【００１１】
また本発明は、上述のマルチモード通信装置において、前記線形出力部は、前記受信した複数の周波数帯域の各信号を前記信号強度検出部へ出力する伝送線路であることを特徴とする。
【００１２】
また本発明は、上述のマルチモード通信装置において、前記線形出力部は、前記受信した複数の周波数帯域の各信号の電力を、消費または蓄積または放出する受動素子を有し、前記受信した複数の周波数帯域の各信号を前記受動素子を介して前記信号強度検出部へ出力することを特徴とする。
【００１３】
また本発明は、上述のマルチモード通信装置において、前記線形出力部は、可変抵抗素子を有し、前記受信した複数の周波数帯域の各信号を前記可変抵抗素子を介して前記信号強度検出部へ出力することを特徴とする。
【００１４】
また本発明は、上述のマルチモード通信装置において、前記線形出力部は、さらにＤＣオフセットを除去するためのキャパシタを備えることを特徴とする。
【００１５】
また本発明は、受信した複数の周波数帯域における通信方式それぞれに応じた処理を行うマルチモード通信装置の通信用回路であって、前記受信した複数の周波数帯域の各信号の周波数変換を行ってダウンコンバートするマルチバンドＲＦ部と、前記複数の周波数帯域の各信号のうち、所望の使用周波数帯域の信号のみを出力するフィルタリング部と、前記出力された使用周波数帯域の信号に対して所定の利得で増幅して出力する利得制御部と、前記利得制御部から出力された信号を前記使用周波数帯域における通信方式に応じた特定の情報処理を行って出力する信号処理部と、前記複数の周波数帯域の各信号のいずれかが、予め定められた閾値を超える信号強度を示しているかを検出する信号強度検出部と、を備え、前記信号処理部は、前記受信した複数の周波数帯域の各信号のいずれかが、予め定められた閾値を超える信号強度を示していると前記信号強度検出部で検出された場合には、前記マルチバンドＲＦ部の利得を制御する指示を行うことを特徴とする通信用回路である。
【発明の効果】
【００１６】
本発明によれば、使用周波数帯域を含む、複数の周波数帯域の信号のうちのいずれかの周波数帯域の信号が、飽和レベルを超えている場合には、マルチバンドＲＦ部内に備えられた減衰器に対して無線受信した複数の周波数帯域の各信号の利得を下げる処理を行っているので、その後のダウンコンバートの処理において、所望の使用周波数帯域の信号が歪むことがない。従って、その後の使用周波数帯域の信号のフィルタリングにおいて、歪みのない信号を出力することができるので、信号処理部において、その出力値の劣化を軽減することができる。
【発明を実施するための最良の形態】
【００１７】
以下、本発明の一実施形態によるマルチモード通信装置を図面を参照して説明する。
（第１の実施形態）
図１は第１の実施形態によるマルチモード通信装置の回路構成を示すブロック図である。
この図で示すように、マルチモード通信装置１は、複数の周波数帯域の無線信号を受信するアンテナ１１、受信した複数の周波数帯域の無線信号のうち、所望の使用周波数帯域を含む複数の周波数帯域の無線信号のみをフィルタして出力する第１フィルタ部１２、第１フィルタ部１２から出力された複数の周波数帯域の各信号の周波数変換を行ってダウンコンバートするマルチバンドＲＦ部１３、マルチバンドＲＦ部１３から出力されたダウンコンバート後の複数の周波数帯域の各信号のうち、所望の使用周波数帯域の信号のみをフィルタして出力する第２フィルタ部１４、マルチバンドＲＦ部１３から出力されたダウンコンバート後の複数の周波数帯域の各信号を線形出力する線形出力部１５、マルチバンドＲＦ部１３から出力されたダウンコンバート後の複数の周波数帯域の各信号を第２フィルタ部１４または線形出力部１５の何れか一方に切り替えて出力する第１スイッチ部、第２フィルタ部１４または線形出力部１５の何れか一方からの出力を取り出す第２スイッチ部、第２スイッチ部より出力された信号に対して所定の利得で増幅して出力する利得制御部１８、利得制御部１８から出力された信号をＡ（アナログ）／Ｄ（デジタル）変換するとともに、予め定められた閾値を超える信号強度を示しているかを検出するＡ／Ｄコンバータ１９（信号強度検出部）、受信した信号を使用周波数帯域における通信方式に応じた特定の情報処理を行って出力する信号処理部２０を備えている。
【００１８】
そして、信号処理部２０は、線形出力部１５を介して受信した複数の周波数帯域の各信号のいずれかが、予め定められた閾値を超える信号強度を示しているとＡ／Ｄコンバータ１９が検出した場合には、マルチバンドＲＦ部１３内に備えられた減衰器に対して受信した複数の周波数帯域の各信号の利得を下げる（減衰量を高める）指示を行う。なお、Ａ／Ｄコンバータ１９は、第２フィルタ部１４から出力された使用周波数帯域の信号についても、その信号強度が予め定められた閾値の信号強度を超えているかまたは低すぎないかを判定する。そして信号処理部２０は、第２フィルタ部１４から出力された使用周波数帯域が予め定められた閾値を超える信号強度を示している場合には、利得制御部１８内に備えられた可変減衰器に対して使用周波数帯域の信号の利得を下げる（減衰量を高める）指示を行い、また低すぎる場合には、利得制御部１８内に備えられた可変増幅器に対して信号の利得を上げる（増幅量を高める）指示を行う。
【００１９】
図２は、第１の実施形態によるマルチモード通信装置の処理フローを示す第１の図である。
図３は、マルチモード通信装置における処理概要を示す図である。
次に図２、図３を用いて、第１の実施形態によるマルチモード通信装置の処理について説明する。
まず、マルチモード通信装置１のマルチバンドＲＦ部１３および利得制御部１８において、制御できる信号強度の飽和レベルを低く設定しておく（ステップＳ１００）。このような状態において、アンテナ１１が複数の周波数帯域の無線信号を受信し（ステップＳ１０１）、第１フィルタ部１２が、アンテナ１１の受信した複数の周波数帯域の無線信号のうち、所望の使用周波数帯域ｂを含む複数の周波数帯域ａ〜ｃの無線信号のみをフィルタして出力する（ステップＳ１０２）。すると、マルチバンドＲＦ部１３が、第１フィルタ部１２より出力された、所望の使用周波数帯域ｂを含む複数の周波数帯域ａ〜ｃの無線信号を増幅し、また周波数変換によりダウンコンバートして出力する（ステップＳ１０３）。ここでスイッチ１６及びスイッチ１７は信号処理部２０の制御等により線形出力部１５に接続が切り替えられている。従って線形出力部１５は、マルチバンドＲＦ部１３から出力されたダウンコンバート後の複数の周波数帯域ａ〜ｃの信号をそのまま第２スイッチ部１７を介して利得制御部１８へ出力する（ステップＳ１０４）。
【００２０】
ここで、線形出力部１５は、受信した複数の周波数帯域の各信号を、第２スイッチ部１７を介して利得制御部１８へ出力する伝送線路であり、この伝送線路が信号の電力を、消費または蓄積または放出する受動素子を有し、複数の周波数帯域の各信号を受動素子を介して第２スイッチ部１７を介して利得制御部１８へ出力するものであってもよいし、また、伝送線路が可変抵抗素子を有し、複数の周波数帯域の各信号を可変抵抗素子を介して第２スイッチ部１７を介して利得制御部１８へ出力するものであってもよい。また、その伝送線路に、ＤＣオフセットを除去するための（信号の直流成分の除去を行なうための）キャパシタを備えるようにしてもよい。
【００２１】
次に利得制御部１８は、線形出力部１５および第２スイッチ部１７を介して受信した複数の周波数帯域ａ〜ｃの信号を、所定の利得で増幅して出力する（ステップＳ１０５）。そして、Ａ／Ｄコンバータ１９が、利得制御部１８より出力された複数の周波数帯域ａ〜ｃの各信号をＡ／Ｄ変換すると共に、その各信号の信号強度を検出する（ステップＳ１０６）。そして、利得制御部１８は、検出した信号強度に応じたマルチバンドＲＦ部１３における利得の制御を行う（ステップＳ１０７）。
【００２２】
次に、利得制御部１８が検出した信号強度に応じたマルチバンドＲＦ部１３における利得の制御を行うと、次に、信号処理部２０は、第１スイッチ部１６と第２スイッチ部１７を切り替えて第２フィルタ部１４に接続する（ステップＳ１０８）。すると、マルチバンドＲＦ部１３のダウンコンバートした複数の周波数帯域ａ〜ｃの信号が、第２フィルタ部１４に出力される。第２フィルタ部１４においては、所望の使用周波数帯域ｂの信号のみをフィルタリングにより出力する（ステップＳ１０９）。そして使用周波数帯域ｂの信号が、第２スイッチ部１７を介して利得制御部１８に出力される。次に利得制御部１８は、第２フィルタ部１４および第２スイッチ部１７を介して受信した使用周波数帯域ｂの信号を、所定の利得で増幅して出力する（ステップＳ１１０）。
【００２３】
そして、Ａ／Ｄコンバータ１９が、利得制御部１８より出力された使用周波数帯域ｂの信号をＡ／Ｄ変換すると共に、その使用周波数帯域ｂの信号の信号強度が、予め定められた閾値の信号強度を超えているかまたは低すぎないかを判定して（ステップＳ１１１）、信号処理部２０へ通知する。信号処理部２０は、使用周波数帯域ｂの信号の信号強度が、予め定められた閾値の信号強度を超えていると判定した場合には、利得制御部１８内に備えられた可変減衰器に対して使用周波数帯域ｂの信号の利得を下げる（減衰量を高める）指示を行い（ステップＳ１１２）、また低すぎる場合には、利得制御部１８内に備えられた可変増幅器に対して信号の利得を上げる（増幅量を高める）指示を行う（ステップＳ１１３）。
【００２４】
図４は、第１の実施形態によるマルチモード通信装置の処理フローを示す第２の図である。
また、上述の処理のほかに、ステップＳ１０５以降において、下記のような処理を行うようにしても良い。まず、ステップＳ１０１〜ステップＳ１０５の処理は同様である。そして、ステップＳ１０５の後、Ａ／Ｄコンバータ１９が、利得制御部１８より出力された複数の周波数帯域ａ〜ｃの各信号をＡ／Ｄ変換すると共に、その各信号のうちのいずれかが、予め設定された信号強度の飽和レベルを超えるか否かを判定する（ステップＳ１０６ｂ）。ここで信号強度が飽和レベルを超えているか否かの判定は、例えば、各信号のＡ／Ｄ変換後の情報において最上位ビット（或いは飽和レベルに対応するビット）が立っているか否かにより判定する。そして複数の周波数帯域ａ〜ｃの信号のうちのいずれかの周波数帯域の信号が、飽和レベルを超えているか否かを、信号処理部２０に通知する。信号処理部２０は、複数の周波数帯域ａ〜ｃの信号のうちのいずれかの周波数帯域の信号が、飽和レベルを超えている場合には、マルチバンドＲＦ部１３内に備えられた減衰器に対して受信した複数の周波数帯域ａ〜ｃの各信号の利得を下げる（減衰量を高める）指示を行う（ステップＳ１０７ｂ）。そして、マルチモード通信装置１は、Ａ／Ｄコンバータ１９が、ダウンコンバート後の複数の周波数帯域ａ〜ｃの各信号全てが、予め設定された信号強度の飽和レベルを超えないと判定するまで、上記ステップＳ１〜ステップＳ５，ステップＳ６ｂ，ステップＳ７ｂの処理を繰り返す。
【００２５】
次に、Ａ／Ｄコンバータ１９が、利得制御部１８より出力された複数の周波数帯域ａ〜ｃの各信号全てが、予め設定された信号強度の飽和レベルを超えないと判定した場合、信号処理部２０は、第１スイッチ部１６と第２スイッチ部１７を切り替えて第２フィルタ部１４に接続する（ステップＳ１０８ｂ）。すると、マルチバンドＲＦ部１３のダウンコンバートした複数の周波数帯域ａ〜ｃの信号が、第２フィルタ部１４に出力される。第２フィルタ部１４においては、所望の使用周波数帯域ｂの信号のみをフィルタリングにより出力する（ステップＳ１０９ｂ）。そして使用周波数帯域ｂの信号が、第２スイッチ部１７を介して利得制御部１８に出力される。次に利得制御部１８は、第２フィルタ部１４および第２スイッチ部１７を介して受信した使用周波数帯域ｂの信号を、所定の利得で増幅して出力する（ステップＳ１１０ｂ）。
【００２６】
そして、Ａ／Ｄコンバータ１９が、利得制御部１８より出力された使用周波数帯域ｂの信号をＡ／Ｄ変換すると共に、その使用周波数帯域ｂの信号の信号強度が、予め定められた閾値の信号強度を超えているかまたは低すぎないかを判定して（ステップＳ１１１ｂ）、信号処理部２０へ通知する。信号処理部２０は、使用周波数帯域ｂの信号の信号強度が、予め定められた閾値の信号強度を超えていると判定した場合には、利得制御部１８内に備えられた可変減衰器に対して使用周波数帯域ｂの信号の利得を下げる（減衰量を高める）指示を行い（ステップＳ１１２ｂ）、また低すぎる場合には、利得制御部１８内に備えられた可変増幅器に対して信号の利得を上げる（増幅量を高める）指示を行う（ステップＳ１１３ｂ）。
【００２７】
以上の処理によれば、使用周波数帯域ｂを含む、複数の周波数帯域ａ〜ｃの信号のうちのいずれかの周波数帯域の信号が、飽和レベルを超えている場合には、マルチバンドＲＦ部１３内に備えられた減衰器に対して受信した複数の周波数帯域ａ〜ｃの各信号の利得を下げる（減衰量を高める）処理を行っているので、その後のダウンコンバートの処理において、所望の使用周波数帯域ｂの信号が歪むことがない。従って、その後の使用周波数帯域ｂの信号のフィルタリングにおいて、歪みのない信号を出力することができるので、信号処理部２０において、その出力値の劣化を軽減することができる。
【００２８】
（第２の実施形態）
次に、第２の実施形態によるマルチモード通信装置について説明する。
図５は第２の実施形態によるマルチモード通信装置の回路構成を示すブロック図である。
この図で示すように、マルチモード通信装置１は、複数の周波数帯域の無線信号を受信するアンテナ２１、受信した複数の周波数帯域の無線信号のうち、所望の使用周波数帯域を含む複数の周波数帯域の無線信号のみをフィルタして出力する第１フィルタ部２２、第１フィルタ部２２から出力された複数の周波数帯域の各信号の周波数変換を行ってダウンコンバートするマルチバンドＲＦ部２３、マルチバンドＲＦ部１３から出力されたダウンコンバート後の複数の周波数帯域の各信号の接続を切り替えるスイッチ部２４、マルチバンドＲＦ部１３から出力されたダウンコンバート後の複数の周波数帯域の各信号のうち、所望の使用周波数帯域の信号のみをフィルタして出力する第２フィルタ部２５、マルチバンドＲＦ部１３から出力されたダウンコンバート後の複数の周波数帯域の各信号をＡ（アナログ）／Ｄ（デジタル）変換するとともに、予め定められた閾値を超える信号強度を示しているかを検出するＡ／Ｄコンバータ２６（信号強度検出部）、第２フィルタ部２５より出力された信号に対して所定の利得で増幅して出力する利得制御部２７、利得制御部２７から出力された信号をＡ（アナログ）／Ｄ（デジタル）変換するとともに、予め定められた閾値を超える信号強度を示しているかを検出するＡ／Ｄコンバータ２８、受信した信号を使用周波数帯域における通信方式に応じた特定の情報処理を行って出力する信号処理部２９を備えている。
【００２９】
そして、信号処理部２９は、予め定められた閾値を超える信号強度を示しているとＡ／Ｄコンバータ２６が検出した場合には、マルチバンドＲＦ部２３内に備えられた減衰器に対して受信した複数の周波数帯域の各信号の利得を下げる（減衰量を高める）指示を行う。また、Ａ／Ｄコンバータ２８が、第２フィルタ部２５から出力された使用周波数帯域の信号について、その信号強度が予め定められた閾値の信号強度を超えているかまたは低すぎないかを判定する。そして信号処理部２９は、第２フィルタ部２５から出力された使用周波数帯域が予め定められた閾値を超える信号強度を示している場合には、利得制御部２７内に備えられた可変減衰器に対して使用周波数帯域の信号の利得を下げる（減衰量を高める）指示を行い、また低すぎる場合には、利得制御部２７内に備えられた可変増幅器に対して信号の利得を上げる（増幅量を高める）指示を行う。
【００３０】
図６は、第２の実施形態によるマルチモード通信装置の処理フローを示す図である。
次に、図３および図６を用いて、第２の実施形態によるマルチモード通信装置の処理の詳細について説明する。
まず、マルチモード通信装置１のマルチバンドＲＦ部２３および利得制御部２７において、制御できる信号強度の飽和レベルを低く設定しておく。このような状態において、アンテナ２１が複数の周波数帯域の無線信号を受信し（ステップＳ２０１）、第１フィルタ部２２が、アンテナ２１の受信した複数の周波数帯域の無線信号のうち、所望の使用周波数帯域ｂを含む複数の周波数帯域ａ〜ｃの無線信号のみをフィルタして出力する（ステップＳ２０２）。すると、マルチバンドＲＦ部２３が、第１フィルタ部２２より出力された、所望の使用周波数帯域ｂを含む複数の周波数帯域ａ〜ｃの無線信号を、周波数変換によりダウンコンバートして出力する（ステップＳ２０３）。ここでスイッチ部２４は信号処理部２０の制御等によりＡ／Ｄコンバータ２６に接続が切り替えられている。従ってマルチバンドＲＦ部２３からの出力はＡ／Ｄコンバータ２６に出力される。
【００３１】
次にＡ／Ｄコンバータ２６は、マルチバンドＲＦ部２３からの出力である複数の周波数帯域ａ〜ｃの各信号をＡ／Ｄ変換すると共に、その各信号のうちのいずれかが、予め設定された信号強度の飽和レベルを超えるか否かを判定する（ステップＳ２０４）。信号強度が飽和レベルを超えているか否かの判定は、実施形態１と同様に、各信号のＡ／Ｄ変換後の情報において最上位ビット（或いは飽和レベルに対応するビット）が立っているか否かにより判定する。そして複数の周波数帯域ａ〜ｃの信号のうちのいずれかの周波数帯域の信号が、飽和レベルを超えているか否かを、信号処理部２９に通知する。信号処理部２９は、複数の周波数帯域ａ〜ｃの信号のうちのいずれかの周波数帯域の信号が、飽和レベルを超えている場合には、マルチバンドＲＦ部２３内に備えられた減衰器に対して受信した複数の周波数帯域ａ〜ｃの各信号の利得を下げる（減衰量を高める）指示を行う（ステップＳ２０５）。そして、マルチモード通信装置１は、Ａ／Ｄコンバータ２６が、ダウンコンバート後の複数の周波数帯域ａ〜ｃの各信号全てが、予め設定された信号強度の飽和レベルを超えないと判定するまで、上記ステップＳ２０１〜ステップＳ２０５の処理を繰り返す。
【００３２】
次に、Ａ／Ｄコンバータ２６が、マルチバンドＲＦ部２３より出力された複数の周波数帯域ａ〜ｃの各信号全てが、予め設定された信号強度の飽和レベルを超えないと判定した場合、信号処理部２９は、スイッチ部２４を切り替えて第２フィルタ部２５に接続する（ステップＳ２０６）。すると、マルチバンドＲＦ部１３のダウンコンバートした複数の周波数帯域ａ〜ｃの信号が、第２フィルタ部２５に出力される。第２フィルタ部２５においては、所望の使用周波数帯域ｂの信号のみをフィルタリングにより出力する（ステップＳ２０７）。そして使用周波数帯域ｂの信号が、利得制御部２７に出力される。次に利得制御部２７は、第２フィルタ部２５を介して受信した使用周波数帯域ｂの信号を、所定の利得で増幅して出力する（ステップＳ２０８）。
【００３３】
そして、Ａ／Ｄコンバータ２８が、利得制御部２７より出力された使用周波数帯域ｂの信号をＡ／Ｄ変換すると共に、その使用周波数帯域ｂの信号の信号強度が、予め定められた閾値の信号強度を超えているかまたは低すぎないかを判定して（ステップＳ２０９）、信号処理部２９へ通知する。信号処理部２９は、使用周波数帯域ｂの信号の信号強度が、予め定められた閾値の信号強度を超えていると判定した場合には、利得制御部２７内に備えられた可変減衰器に対して使用周波数帯域ｂの信号の利得を下げる（減衰量を高める）指示を行い（ステップＳ２１０）、また低すぎる場合には、利得制御部２７内に備えられた可変増幅器に対して信号の利得を上げる（増幅量を高める）指示を行う（ステップＳ２１１）。
【００３４】
以上の処理によれば、第１の実施形態と同様に、使用周波数帯域ｂを含む、複数の周波数帯域ａ〜ｃの信号のうちのいずれかの周波数帯域の信号が、飽和レベルを超えている場合には、マルチバンドＲＦ部内に備えられた減衰器に対して受信した複数の周波数帯域ａ〜ｃの各信号の利得を下げる（減衰量を高める）処理を行っているので、その後のダウンコンバートの処理において、所望の使用周波数帯域ｂの信号が歪むことがない。従って、その後の使用周波数帯域ｂの信号のフィルタリングにおいて、歪みのない信号を出力することができるので、信号処理部において、その出力値の劣化を軽減することができる。
【００３５】
（第３の実施形態）
図７は、第３の実施形態によるマルチモード通信装置の処理フローを示す図である。
次に図３、図７を用いて第３の実施形態によるマルチモード通信装置の処理について説明する。
第３の実施形態によるマルチモード通信装置の回路構成は、第２の実施形態と同様であるが、スイッチ部２４の代わりに、電力配分器３１が備えられる。この電力分配部３１は、マルチバンドＲＦ部２３から出力された複数の周波数帯域の各信号を第１フィルタ部２５へ出力し、また、当該信号を１／ｎ（ｎ≧１）の電力値によりＡ／Ｄコンバータ２６へ出力する。そして、Ａ／Ｄコンバータ２６は、受信した複数の周波数帯域の各信号のいずれかが、予め定められた閾値の１／ｎを超える信号強度を示しているかの検出結果を信号処理部２９へ通知する。
【００３６】
次に、第３の実施形態によるマルチモード通信装置の処理について説明する。
まず、マルチモード通信装置１のマルチバンドＲＦ部２３および利得制御部２７において、制御できる信号強度の飽和レベルを低く設定しておく。このような状態において、アンテナ２１が複数の周波数帯域の無線信号を受信し（ステップＳ３０１）、第１フィルタ部２２が、アンテナ２１の受信した複数の周波数帯域の無線信号のうち、所望の使用周波数帯域ｂを含む複数の周波数帯域ａ〜ｃの無線信号のみをフィルタして出力する（ステップＳ３０２）。すると、マルチバンドＲＦ部２３が、第１フィルタ部２２より出力された、所望の使用周波数帯域ｂを含む複数の周波数帯域ａ〜ｃの無線信号を、周波数変換によりダウンコンバートして出力する（ステップＳ３０３）。ここで電力配分器３１は、マルチバンドＲＦ部１３から出力されたダウンコンバート後の複数の周波数帯域ａ〜ｃの各信号を第１フィルタ部２５へ出力し、また、当該複数の周波数帯域ａ〜ｃの信号を１／ｎ（ｎ≧１）の電力値によりＡ／Ｄコンバータ２６へ出力する（ステップＳ３０４）。
【００３７】
次にＡ／Ｄコンバータ２６は、マルチバンドＲＦ部２３からの出力である複数の周波数帯域ａ〜ｃの各信号をＡ／Ｄ変換すると共に、その各信号のうちのいずれかが、予め定められた閾値の１／ｎを超える信号強度の飽和レベルを超えるか否かを判定する（ステップＳ３０５）。ここで信号強度が飽和レベルを超えているか否かの判定は、実施形態１，２と同様に、各信号のＡ／Ｄ変換後の情報において最上位ビット（或いは飽和レベルに対応する閾値の１／ｎのビット）が立っているか否かにより判定する。そして複数の周波数帯域ａ〜ｃの信号のうちのいずれかの周波数帯域の信号が、飽和レベルを超えているか否かを、信号処理部２９に通知する。信号処理部２９は、複数の周波数帯域ａ〜ｃの信号のうちのいずれかの周波数帯域の信号が、飽和レベルを超えている場合には、マルチバンドＲＦ部２３内に備えられた減衰器に対して受信した複数の周波数帯域ａ〜ｃの各信号の利得を下げる（減衰量を高める）指示を行う（ステップＳ３０６）。そして、マルチモード通信装置１は、Ａ／Ｄコンバータ２６が、ダウンコンバート後の複数の周波数帯域ａ〜ｃの各信号全てが、予め設定された信号強度の飽和レベルを超えないと判定するまで、上記ステップＳ３０１〜ステップＳ３０６の処理を繰り返す。
【００３８】
次に、Ａ／Ｄコンバータ２６が、マルチバンドＲＦ部２３より出力された複数の周波数帯域ａ〜ｃの各信号全てが、予め定められた閾値の１／ｎを超える信号強度の飽和レベルを超えないと判定した場合、第２フィルタ部２５が、マルチバンドＲＦ部１３のダウンコンバートした複数の周波数帯域ａ〜ｃの信号から、所望の使用周波数帯域ｂの信号のみをフィルタリングにより出力する（ステップ３０７）。そして使用周波数帯域ｂの信号が、利得制御部２７に出力される。次に利得制御部２７は、第２フィルタ部２５を介して受信した使用周波数帯域ｂの信号を、所定の利得で増幅して出力する（ステップＳ３０８）。
【００３９】
そして、Ａ／Ｄコンバータ２８が、利得制御部２７より出力された使用周波数帯域ｂの信号をＡ／Ｄ変換すると共に、その使用周波数帯域ｂの信号の信号強度が、予め定められた閾値の信号強度を超えているかまたは低すぎないかを判定して（ステップＳ３０９）、信号処理部２９へ通知する。信号処理部２９は、使用周波数帯域ｂの信号の信号強度が、予め定められた閾値の信号強度を超えていると判定した場合には、利得制御部２７内に備えられた可変減衰器に対して使用周波数帯域ｂの信号の利得を下げる（減衰量を高める）指示を行い（ステップＳ３１０）、また低すぎる場合には、利得制御部２７内に備えられた可変増幅器に対して信号の利得を上げる（増幅量を高める）指示を行う（ステップＳ３１１）。
【００４０】
以上の処理によれば、第１および第２の実施形態と同様に、使用周波数帯域ｂを含む、複数の周波数帯域ａ〜ｃの信号のうちのいずれかの周波数帯域の信号が、飽和レベルを超えている場合には、マルチバンドＲＦ部内に備えられた減衰器に対して受信した複数の周波数帯域ａ〜ｃの各信号の利得を下げる（減衰量を高める）処理を行っているので、その後のダウンコンバートの処理において、所望の使用周波数帯域ｂの信号が歪むことがない。従って、その後の使用周波数帯域ｂの信号のフィルタリングにおいて、歪みのない信号を出力することができるので、信号処理部において、その出力値の劣化を軽減することができる。
【図面の簡単な説明】
【００４１】
【図１】第１の実施形態によるマルチモード通信装置の回路構成を示すブロック図である。
【図２】第１の実施形態によるマルチモード通信装置の処理フローを示す図である。
【図３】マルチモード通信装置における処理概要を示す図である。
【図４】第１の実施形態によるマルチモード通信装置の処理フローを示す第２の図である。
【図５】第２の実施形態によるマルチモード通信装置の回路構成を示すブロック図である。
【図６】第２の実施形態によるマルチモード通信装置の処理フローを示す図である。
【図７】第３の実施形態によるマルチモード通信装置の処理フローを示す図である。
【図８】従来のマルチモード通信装置における処理概要を示す図である。
【符号の説明】
【００４２】
１・・・マルチモード通信装置
１１，２１・・・アンテナ
１２，２２・・・第１フィルタ部
１３，２３・・・マルチバンドＲＦ部
１４，２５・・・第２フィルタ部
１５・・・線形出力部
１６・・・第１スイッチ部
１７・・・第２スイッチ部
１８，２７・・・利得制御部
１９，２６，２８・・・Ａ／Ｄコンバータ
２０，２９・・・信号処理部
２４・・・スイッチ部
３１・・・電力配分器
【図１】
2009246477.tif 000003
【図２】
2009246477.tif 000004
【図３】
2009246477.tif 000005
【図４】
2009246477.tif 000006
【図５】
2009246477.tif 000007
【図６】
2009246477.tif 000008
【図７】
2009246477.tif 000009
【図８】
2009246477.tif 000010